(57)【特許請求の範囲】
【請求項１】
一対の巻取ローラを備えた巻取部にコア供給部からコアを移し、該コアを回転させてコアの下部に送り込まれるフィルムをコアに巻取らせるフィルム巻取機であり、巻取終了して巻取部から終端処理部に搬出したフィルムロールに連続するフィルムを切断し、前記切断にて形成されたフィルムの始端部を前記巻取部に移載したコアに巻付けるフィルム巻取機の自動巻付装置において、
前記コア供給部のコアに、粘着面を外方に表出させた状態にして止着用テープをコアの外面の長手方向に亘って貼る止着用テープ貼付手段と、
巻取終了したフィルムロールが搬出されて空いた状態の巻取部に、止着用テープを貼った前記コアをコア供給部から移すコア移載手段と、
巻取部から搬出された巻取終了のフィルムロールに連続して緊張状態としたフィルムを、巻取部の下流側で切断する切断手段と、
巻取部上流側のフィルムを送出方向とは逆方向に引いて、前記切断手段の切断により形成されたフィルムの始端部を巻取部に引戻す引戻し手段とを備え、
前記引戻し手段により巻取部に引戻されるフィルムの始端部とフィルムの引戻しに伴って巻取方向とは逆方向に回転するコアの止着用テープとが対応し、フィルムの始端部が止着用テープに、該止着用テープからフィルムの送出方向に非張出状態にして貼り合わされて、フィルムがコアに巻付けられる構成としたことを特徴とするフィルム巻取機の自動巻付装置。
【請求項２】
上記止着用テープ貼付手段は、止着用テープを貼り付けた後に、上記巻取部においてフィルムの始端部と止着用テープとが対応するようにコア供給部で予めコアを位置合わせ回転させる回転手段を備える請求項１に記載のフィルム巻取機の自動巻付装置。
【発明の詳細な説明】
【０００１】
【発明の属する技術分野】
本発明は、フィルム巻取機、特に粘着フィルムの巻取機における自動巻付装置に関するものである。
【０００２】
【従来の技術】
従来から紙やプラスチックフィルムなどのウエブロール製品を得るに当たっては、表面駆動方式の巻取機が広く使用されている。表面駆動方式の巻取機では、平行に配置された一対の巻取ローラ（表面駆動ローラ）を備えていて、この一対の巻取ローラからなる巻取部の上に載置されたコアを回転させてそのコアの下部へ送り込まれるウエブを巻取らせるようにしており、巻取終了後、ウエブロール製品は巻取部から搬出されるとともにそのウエブロール製品の端末が幅方向にクロスカットされ、次いで、クロスカットされたウエブの始端部が、自動的に巻取部に供給された次のコアに巻付けられ、再び巻取が開始されるようにしている。
【０００３】
しかしながら、ウエブロール製品が、壁紙製品やガラス保護シート製品などの粘着面が外側や内側に面している粘着フィルムロールの場合、上述の工程で巻取を行なわせようとすると不都合が発生する。即ち、粘着フィルムロールの場合には、上記のような工程でクロスカットされたウエブの始端部は、その粘着性のために従来の巻付機構のままでは自動的に適正に次のコアに巻付けられるのは困難である。例えば粘着フィルム同士が重なり合い付着してコアに二つ折りに巻付けられたり、周辺のローラやフレームなどに容易に付着し粘着フィルムが斜行してコアに歪んだ状態で付着したりして、次工程の巻取開始の状態において巻付が円滑に行われないという問題があって、ロール製品にしわや歪みを発生させる原因となるなどしており、そして表面駆動方式において粘着フィルムのコアへの自動巻付を施す技術は未だ見出されていなかった。
【０００４】
【発明が解決しようとする課題】
本発明は、上記問題点に着目してなされたもので、表面駆動方式において粘着フィルムの始端部をコアに適正に止着して円滑に巻付を開始し、しわや歪みの無い巻取が可能な粘着フィルム巻取機の自動巻取装置を提供することを目的とする。
【０００５】
【課題を解決するための手段】
本発明は上記課題を考慮してなされたもので、一対の巻取ローラを備えた巻取部にコア供給部からコアを移し、該コアを回転させてコアの下部に送り込まれるフィルムをコアに巻取らせるフィルム巻取機であり、巻取終了して巻取部から終端処理部に搬出したフィルムロールに連続するフィルムを切断し、前記切断にて形成されたフィルムの始端部を前記巻取部に移載したコアに巻付けるフィルム巻取機の自動巻付装置において、前記コア供給部のコアに、粘着面を外方に表出させた状態にして止着用テープをコアの外面の長手方向に亘って貼る止着用テープ貼付手段と、巻取終了したフィルムロールが搬出されて空いた状態の巻取部に、止着用テープを貼った前記コアをコア供給部から移すコア移載手段と、巻取部から搬出された巻取終了のフィルムロールに連続して緊張状態としたフィルムを、巻取部の下流側で切断する切断手段と、巻取部上流側のフィルムを送出方向とは逆方向に引いて、前記切断手段の切断により形成されたフィルムの始端部を巻取部に引戻す引戻し手段とを備え、前記引戻し手段により巻取部に引戻されるフィルムの始端部とフィルムの引戻しに伴って巻取方向とは逆方向に回転するコアの止着用テープとが対応し、フィルムの始端部が止着用テープに、該止着用テープからフィルムの送出方向に非張出状態にして貼り合わされて、フィルムがコアに巻付けられる構成としたことを特徴とするフィルム巻取機の自動巻付装置を提供して、上記課題を解消するものである。
【０００６】
そして、本発明において、上記止着用テープ貼付手段は、止着用テープを貼り付けた後に、上記巻取部においてフィルムの始端部と止着用テープとが対応するようにコア供給部で予めコアを位置合わせ回転させる回転手段を備えるものとすることが良好である。
【０００７】
【発明の実施の形態】
つぎに本発明を図１から図３に示す実施の形態に基づいて詳細に説明する。
図１は粘着フィルムをコアに巻取って粘着フィルムロールを得るフィルム巻取機Ａを示している。このフィルム巻取機Ａにおけるロール製品を作製する工程を概略的に説明すると、まず原反供給部Ｂから送り出される原反Ｃを、受胴Ｄに円刃Ｅが当てられているスリット部Ｆに通して所定幅の粘着フィルムＧにスリットしている。つぎにこの粘着フィルムＧを巻取部Ｈに送り込み、この巻取部Ｈで巻取りを行なって粘着フィルムロールＩを得る。さらに巻取終了の粘着フィルムロールＩを移送手段Ｊによって巻取部Ｈから終端処理装置Ｋに移してから後述の切断を行ない、この終端処理装置Ｋでの終端処理を経ることで粘着フィルムロールを作製している。
なお、図１において原反供給部Ｂから送り出される粘着フィルムは下面側を粘着面とし、この状態で終端処理装置Ｋまで進む送出経路において粘着面が接する部分にはシリコン処理が施されていて、粘着フィルムＧの送出に支障が生じないように図られてる。
【０００８】
原反からロール製品である粘着フィルムロールを順次作製するためにこのフィルム巻取機Ａには、上記巻取部Ｈに紙管などからなるコアを供給し、粘着フィルムの始端部をコアに自動的に巻付けるようにした自動巻付装置１が組み入れられている。そして、自動巻付装置１では、巻取が終了した粘着フィルムロールを上記終端処理装置Ｋに移すことでその巻取終了の粘着フィルムロールに連続して引き出された巻取部Ｈの下流側における粘着フィルムが切断されると、その切断により形成された粘着フィルムの始端部をつぎのコアに対応付けることも行なう。この自動巻付装置１は、上記スリット部Ｆと巻取部Ｈとの間に引戻し手段２を位置させている。引戻し手段２は図示されているように、巻取機Ａのフレームなどに支持された位置固定ローラ２０に対して離間状態に対応させたアキュムローラ２１をステー２２を介して連結し、前記アキュムローラ２１を位置固定ローラ２０を中心として所要角度の範囲で回動可能に設け、その間にスリットされた粘着フィルムＧを位置固定ローラ２０とアキュムローラ２１とにかかるようにして通し、この粘着フィルムＧが接しながら移動する前記アキュムローラ２１の位置変化によってスリット部Ｆから巻取部Ｈまでの行路長が変化するようにしている。
さらに引戻し手段２には伸縮シリンダ２３があり、この伸縮シリンダ２３の動作がアキュムローラ２１の回動動作となるように連結されていて、前記伸縮シリンダ２３の動作でスリット部Ｆから巻取部Ｈまでの行路長が設定されるものとしている。
【０００９】
巻取部Ｈは、従来のフィルム巻取機での一対の表面駆動ローラである巻取ローラｈ１、ｈ２を平行に並べ設けたもので、巻取ローラｈ１、ｈ２の間に乗せたコアａを回転させることでそのコアａの下部に送り込まれる粘着フィルムＧの始端部を巻取って粘着フィルムロールを作製する部分である。
そして、この巻取部Ｈにコアａを供給するためにコア供給部３が近傍に配置されている。コア供給部３では図示されているように複数のコアを供給トレー３０に配列させており、最下位に位置するコアａから巻取部Ｈが空く毎に、このコア供給部３から巻取部Ｈの間において往復動させるコア移載手段４を介して移されるようにしている。
【００１０】
上記コア移載手段４は、自由端に配したエアシリンダー４０をコア供給部３での待機位置にあるコアａの端部に対応させ、そのエアシリンダー４０の作用によりコアａを挟持する一対のチャックアーム４１からなり、チャックアーム４１によってコアａを巻取部Ｈに移載する。コア供給部３での待機位置ではコアａは回転可能にして待機しているが、このチャックアーム４１に挟持されてから巻取部Ｈの移載後にエアシリンダー４０の作用から解放されるまでの間は、このコアａはチャックアーム４１に対して回転しないように設けられている。
【００１１】
また、自動巻付装置１にあっては止着用テープ貼付手段５を備えている。この止着用テープ貼付手段５は上記コア供給部３の最下位のコアａが待機している待機位置に対応配置されているものであって、この待機位置にあるコアの長手方向に沿って移動しながらコアａの外周方向に対して所定幅（１０〜２０ｍｍ程度）とした両面粘着テープからなる止着用テープ６を貼着する。止着用テープ貼付手段５は例えば両面粘着テープのテープロールが装着されていて、コアａの長手方向に移動するに伴って前記テープロールから剥離テープを剥ぎ取りながら繰り出した両面粘着テープを貼り付けるようにしたものであり、これによって外方に粘着面を表出させた状態の止着用テープ６をコアａの長手方向に亘って貼付するようにする。
この止着用テープ貼付手段５ではコアａのサイズによって変化することなくコアの定位置に、例えば待機状態のコアａに対してその頂部に貼り付けられる。そして、後述するようにこのコアａが上記巻取部Ｈに移載されたときに前記止着用テープ６がコアａのサイズに応じて所定位置にあるようにするために、止着用テープを貼付した後の待機状態にあるコアａを予め位置合わせ回転させておく回転手段７を備えている。
【００１２】
上記回転手段７は、待機位置にあるコアａに対して離接可能にして駆動回転する回転円盤７０を備えてなるものであって、固定部位７１（図示の例では突起）に対応位置して前記回転円盤７０とともに回転するカム７２が、その固定部位７１に係止して停止するように設けられていて、カム７２の回転量を定めることで回転円盤７０の回転量が設定されるようにしており、この回転円盤７０がコアａに接して回転することで止着用テープ６の位置合わせが行なわれる。そして、コアａのサイズに応じて前記カム７２の回転量を調整すること（即ち、固定部位７１の相対的な移動長さを調整すること）で、コアａのサイズが異なった場合でも止着用テープ６を適正に位置合わせできるものとなる。
【００１３】
図において８は切断手段である。この切断手段８は、上記巻取部Ｈで巻取終了した粘着フィルムロールＩを終端処理装置Ｋに引き出したときにその粘着フィルムロールＩに連続して引き出される終端側の粘着フィルムＧを切断するものであり、この切断によって巻取部Ｈに移載される次のコアに巻付けるための始端部が形成される。切断手段８は粘着フィルムＧの下面側に位置する固定刃８０と粘着フィルムＧの上方から当てられる回転刃８１とからなり、巻取終了の粘着フィルムロールＩが終端処理装置Ｋに引き出された後に回転刃８１が前記粘着フィルムＧに降り、その回転刃８１を固定刃８０に噛み合わせるようにしながらその粘着フィルムＧの幅方向に移動させることで切断が行なわれる。
この切断に際しては終端処理装置Ｋに位置した巻取終了の粘着フィルムロールＩが回転しないように押さえローラ９により保持され、引き出された粘着フィルムＧに若干の張力を与えている。これによって粘着フィルムＧの適正な切断を行なって固定刃側などへの無用な貼付きが生じないように図る。
【００１４】
つぎに本自動巻付装置１の動作を説明する。
（ア）まず、巻取部Ｈでコアａに一定幅にスリットされた粘着フィルムＧが巻取られ、所定の巻径の粘着フィルムロールＩが得られると巻取ローラが停止して巻取が終了する。
（イ）フィルム巻取機Ａのフレームに移動可能に支持されている移送手段Ｊが巻取部Ｈ側へと前進し、移送手段Ｊのフック板Ｌが粘着フィルムロールＩの上方に位置するように停止する。つぎにフック板Ｌは下方へ回動して粘着フィルムロールＩを引っ掛けて粘着フィルムロールＩを終端処理装置Ｋ側へ移送できる状態とする。
（ウ）移送手段Ｊは後退して粘着フィルムロールＩを終端処理装置Ｋに移送する。このときには上述したように粘着フィルムロールＩの端末側に粘着フィルムＧが連続した状態で巻取部Ｈまで連なっている。
【００１５】
（エ）一方、コア供給部３では次のコアａが供給トレー３０の最下位にて供給台上で待機状態となっており、止着用テープ貼付手段５により止着用テープ６がコアａに貼着される。
（オ）そして、止着用テープ６が貼着されると、コアａが所定の角度まで回転手段７により回転されて、止着用テープ６が後述する位置に位置合わせされる。
（カ）巻取が終了した上記粘着フィルムロールＩが移送されて空いた巻取部Ｈに、コア供給部３から止着用テープ６が貼着されたコアａを、コア移載手段４によりそのコアａが自由回転しない状態に維持して移載する。
（キ）巻取部Ｈに移載されたコアに貼着された止着用テープ６の位置は非常に厳密に設定されていて、巻取部Ｈの下流側で切断手段８により形成された粘着フィルムＧの始端部が、後述するように巻取部Ｈに引き戻されてコアａの止着用テープ６と貼り合わされるときに、１ｍｍでも止着用テープ６から粘着フィルムＧの始端部が先へ出ていると、粘着フィルムＧの巻取ローラなどに対する粘着性でコアａに巻付く前に巻取ローラの方へ持っていかれてしまう。そこで、粘着フィルムＧの始端部は止着用テープ６から１〜２ｍｍの範囲で巻取部Ｈの上流側に戻った位置で止着されるように設定され、この設定となるようにコアａが待機位置で回転調整されて上記コア移載手段４でその調整された位置合わせ状態が崩れないように巻取部Ｈにコアａが移載される。
【００１６】
（ク）コアａが巻取部Ｈに移載されると、上記切断手段８により、終端処理装置Ｋに移送された粘着フィルムロールＩから連なっている緊張状態の粘着フィルムＧを終端処理装置Ｋと巻取部Ｈとの中間位置でクロスカットする。このとき粘着フィルムＧにテンションをかける動作として、押さえローラ９によって巻取終了の粘着フィルムロールＩを保持するとともに、粘着フィルムＧを上流側に少し引戻しして、またさらに上流側でブレーキをかけるようにする。
この粘着フィルムＧにテンションを加えるための引戻しは上記引戻し手段２にて行なえる。そしてこの引戻し手段２での動作で粘着フィルムＧにテンションを加える際に、原反供給部Ｂから引戻し手段２への送込みが行なわれないようにする前記ブレーキについては、例えばスリット部Ｆの受胴Ｄにエアクラッチによる動作により回転を不可能とすることで行なえる。または原反供給部Ｂでブレーキを掛けるようにしてもよい。
【００１７】
（コ）切断手段８による切断が終了すると、引戻し手段２が伸縮シリンダ２３の作用で作動してアキュムローラ２１がそれぞれ粘着フィルムＧの経路が伸長する位置に移動し（図１仮想線で示す粘着フィルムＧ参照）、粘着フォルムＧの経路が伸長した結果、粘着フィルムＧの始端部が、巻取部Ｈの巻取ローラｈ１、ｈ２がフリーの回転状態で逆回転するととともに巻取部Ｈ上まで引戻される。
巻取部Ｈ上に移載されていた次の巻取りのコアａは、引戻される粘着フィルムＧにより巻取方向と逆方向へ回転して、コアａに貼着された止着用テープ６が引戻された粘着フィルムＧの始端部と丁度合致した位置となり、粘着フィルムＧの始端部が止着用テープ６に適正に止着する。図示したように、止着用テープ６が停止する位置は二つの巻取ローラｈ１、ｈ２の上流側の巻取ローラｈ１がコアａと接触する接点の位置に設定されている。
なお、粘着フィルムＧの始端部が接点の位置よりプラスでもマイナスでもずれていると、巻付動作を行なう時点でその始端部がコアａに当たって折れ曲がりしわの原因となる。
（サ）粘着フィルムＧの始端部がコアａの止着用テープ６に適正に止着させたのち、再び巻取ローラｈ１、ｈ２は巻取方向に駆動回転して粘着フィルムＧが巻付けられ、次工程の巻取が開始される。巻取中はコア移載手段４のチャックアーム４１は、ロックを外してコアａを回転可能にした状態で左右から挟持している。このようにしてコアａへの巻取が行なわれ、巻取が終了すると上記（ア）の工程へ移行し、これが繰り返されることで粘着フィルムロールＩを順次作製されることになる。
なお、上記実施の例にあっては粘着フィルムの下面側を粘着面としたが、上面側を粘着面とした粘着フィルムにあっても本発明は実施できるものである。
【００１８】
【発明の効果】
以上説明した本発明により、粘着フィルムのコアに対する巻付けに際して、粘着フィルムの始端部がコアの止着用テープに適正に止着され、粘着フィルムが二つ折りでコアに巻付いたり、粘着フィルムが斜行したり歪んだ状態でコアに巻付くことが無く、しわや歪みの無い適正な巻取が可能となる。よって、表面駆動方式とした巻取部を備えたフィルム巻取機により粘着フィルムが適正に巻取られている粘着フィルムロールを順次生産することができるなど、実用性に優れた効果を奏するものである。
【図面の簡単な説明】
【図１】本発明に係る自動巻付装置を備えたフィルム巻取機の一例を概略的に示す説明図である。
【図２】一例における回転手段とカム機構を概略的に示す説明図である。
【図３】巻取部における粘着フィルムの巻付を示す説明図である。
【符号の説明】
１…自動巻付装置
２…引戻し手段
３…コア供給部
３０…供給トレー
４…コア移載手段
４１…チャックアーム
５…止着用テープ貼付手段
６…止着用テープ
７…回転手段
７０…回転円盤
７１…固定部位
７２…カム
８…切断手段
９…押さえローラ
ａ…コア
Ａ…フィルム巻取機
Ｇ…粘着フィルム
Ｈ…巻取部
ｈ１、ｈ２…巻取ローラ
Ｉ…粘着フィルムロール
【図１】
0003834696.tif 000002
【図２】
0003834696.tif 000003
【図３】
0003834696.tif 000004